(57)【要約】【課題】  釣銭用の紙幣を装置内に収納し、高額紙幣が投入された場合には、収納した紙幣を釣銭として払い出すことのできる紙幣処理装置を提供する。【解決手段】  釣銭用の紙幣Ｂは、スタック機構６０の押圧部材変位機構６４が縮小したときに、押圧部材６８と、棚板状に張り出す仕切り板６１との間に形成される紙幣取込部７２に取り込まれる。そののち、紙幣Ｂは、押圧部材変位機構６４が元の位置に復帰すべく伸張するのに伴って、仕切り板６１と押圧部材６８とによって挟持される形で紙幣収納部６９に収納される。釣銭としての紙幣Ｂは、釣銭返却ローラ７０によって繰り出され、紙幣排出口３１ｂを通じて払い出される。また、紙幣収納部６９に収納された紙幣Ｂを回収する際は、切替手段８０が切り替わることによって紙幣搬送手段３２に一旦戻されて搬送され、紙幣搬送装置２７へと送り出される。【選択図】  図２
2006338651.tif 000002
【特許請求の範囲】
【請求項１】
紙幣挿入口より投入される紙幣を装置本体内部に形成した紙幣収納部へと誘導する紙幣搬送手段と、前記紙幣搬送手段の搬送路に付設されたセンサによって読み取られたデータに基づいて投入紙幣の金種および真贋を判別する紙幣識別手段と、前記紙幣識別手段によって真券と判別された紙幣を前記紙幣収納部に収納するスタック機構とを備え、
前記紙幣収納部は、前記紙幣搬送手段に近い側に配設された係止部材と、前記紙幣搬送手段の遠い側に紙幣の幅より幅狭の形状を有して配設され、前記係止部材とでもって紙幣の両面から紙幣を挟持するように形成した押圧部材とによって形成され、
前記スタック機構は、前記係止部材を押圧する状態と、前記係止部材より離間した状態との間で前記押圧部材を往復させる機能を備えるとともに、前記押圧部材の往復途中には、前記押圧部材が通り抜けできるように形成された仕切り板が装置本体より突設され、前記押圧部材が前記係止部材より離間する移動を開始して前記仕切り板を通り抜けたところに創出される前記仕切り板と前記押圧部材との間隙が紙幣取込部とされ、
前記紙幣搬送手段によって搬送されてきた紙幣は、前記紙幣取込部に取り込まれたのち、前記押圧部材が前記係止部材を押圧する側に復帰するのに伴って、前記紙幣収納部に収納されるように構成された紙幣処理装置であって、
前記係止部材が存在する側から前記紙幣収納部に収納された紙幣の表面に当接するように釣銭返却ローラが配設され、
釣銭の払出要求に応じて前記釣銭返却ローラが駆動することによって、前記紙幣挿入口に並設させた紙幣排出口から、釣銭とされる紙幣が排出されるように構成されていることを特徴とする紙幣処理装置。
【請求項２】
前記紙幣搬送手段の搬送路には切替レバーが付設され、該切替レバーは、前記紙幣識別手段によって投入された紙幣が釣銭として適用することのできる金種と判別された場合には、前記紙幣収納部が許容できる最大収納枚数を満たしていない場合に限り前記紙幣収納部に前記紙幣を送り出すことができるように切り替わる一方、前記紙幣を前記紙幣収納部に収納することを必要としない場合、ならびに投入された紙幣の金種が高額紙幣と判別された場合には、該釣銭適合紙幣ならびに高額紙幣を本紙幣処理装置に接続させた紙幣搬送装置に送り出すように切り替わることを特徴とする請求項１に記載の紙幣処理装置。
【請求項３】
前記釣銭返却ローラによって繰り出される紙幣の送出先を切り替える切替装置と、前記切替装置によって送出先の切り替えられた紙幣を、前記紙幣挿入口より挿入された紙幣の搬送路へと誘導するガイド部材とを備えていることを特徴とする請求項１または請求項２に記載の紙幣処理装置。
【請求項４】
貸出スイッチと精算スイッチとを備えた遊技媒体貸出機に装着され、高額紙幣が投入された場合に、前記貸出スイッチの押下に伴って遊技媒体の貸し出しと投入金額からの貸出分の減算処理が行われ、さらに前記貸出スイッチが押下されたときには遊技媒体の貸し出しと投入金額からの貸出分の減算処理が繰り返し行われるとともに、精算スイッチの押下に伴って、前記紙幣収納部に釣銭用の紙幣が貯留されていることを条件に、前記紙幣収納部より釣銭となる紙幣を返却することを特徴とする請求項１〜請求項３のいずれがに記載の紙幣処理装置。
【発明の詳細な説明】
【技術分野】
【０００１】  本発明は、釣銭用としての紙幣を収納することができ、高額紙幣の投入に対しては、収納した紙幣を釣銭として払い出すことのできる紙幣処理装置に関する。
【背景技術】
【０００２】  パチンコ機やスロットマシンなどを取り揃えた遊技施設には、ゲーム機とともに遊技媒体貸出機が設置されて、ゲームが実施できるようになっている。遊技媒体の貸し出しを受けるために遊技客が投入する有価価値には、カード、チップ、硬貨、紙幣などといった種類のものがある。このなかで、紙幣を受け付ける貸出機は、予めカードなどを購入するといった手間が要らないという手軽さがある。さらに、高額紙幣を受け入れて釣銭を払い出す形式の遊技媒体貸出機は、前もって千円紙幣などに両替えをしておく必要がないので、遊技機に向き合ったままゲームを継続して行うことができるという点で、遊技客にとって利便性が高いものとなっている。【０００３】  ところで、説明の都合上、釣銭としての紙幣の払い出し機能を伴わない従来の紙幣処理装置の代表的なものについて、特許文献１によって紹介する。この紙幣処理装置１０１について、図８を参照しながら説明すると、紙幣挿入口１０３より投入された紙幣は、紙幣搬送部１０４によって装置本体１０２の内部へと搬送される。紙幣搬送部１０４の紙幣搬送路１１０にはデータ読取部１０５が配設されており、搬送中の紙幣の真贋などに関するデータが読み取られる。読み取られたデータに基づいて真券と判定された紙幣は、紙幣収納ボックス１０６内に取り込まれる。その際、紙幣の両サイドを支持するように棚板状に突設されたガイド部材１１６の同図における上面に載置される形で取り込まれる。【０００４】  そののち、紙幣搬送部１０４の駆動源となっているモータ１５０の逆回転を利用して、押圧手段１０７にあるリンク装置１４１を作動させる。すると、リンク装置１４１に装着されているリフトテーブル１４０が同図における下方に移動を開始し、ガイド部材１１６に両サイドが架け渡された状態で載置されていた紙幣に対して、その中央部から押圧を加える。紙幣の両サイドは変形してガイド部材１１６を乗り越え、紙幣収納部１０８に押し込められる。紙幣収納ボックス１０６には、コイルスプリング１１５によって上方に付勢されたスタッカープレート１１４が配設されており、最終的に、投入された紙幣は、ガイド部材１１６の下面とスタッカープレート１１４とによって挟持される形で積層収納されるという構成のものである。【０００５】  また、特許文献２には、高額紙幣であっても容易に玉貸しができるようにした遊技用の玉貸機が開示されている。この玉貸機は、紙幣投入口から千円紙幣が投入されると、真偽チェックを行なうとともに真券の場合は玉貸しができるように構成され、紙幣投入口から投入された千円紙幣をリサイクル使用すべく貯留する釣銭保管部と、この釣銭保管部に貯留された千円紙幣を釣銭として払い出す払出機構とが設けられている。そして、高額紙幣が紙幣投入口から投入され、この投入された高額紙幣が真券であると、千円分の玉を貸し出すとともに、釣銭相当数の千円紙幣を払出機構により釣銭保管部から払い出す構成としたことを特徴とするものである。【０００６】
【特許文献１】  特開平６−１７６２４５号公報
【特許文献２】  特開平６−１９０１３６号公報
【発明の開示】
【発明が解決しようとする課題】
【０００７】  特許文献１に記載された紙幣処理装置では、積層収納される紙幣は、図８に示された紙幣収納ボックスの下方に向かって札束の厚みを増していくことになる。そして、このような紙幣の束から釣銭返却用としての紙幣を取り出そうとするには、札束の最上にある紙幣から順に１枚づつ取り出すのが、取り出しをする位置が不動であるという理由から、製品化するうえで好都合である。ところが、この引例のような構成の紙幣処理装置は、押圧手段がリフトテーブルの上方に配置されているために、当該付近にさらに釣銭返却機能を加えるという設計は、スペースに余裕がない分、現実的な問題としてかなり難しい。【０００８】  また、特許文献２は、釣銭の払出機構を備えた玉貸機に関するものであるが、その仕組みについて述べただけの概念的なものであり、詳細な構造については何の説明もされていないので、具体化するためにはやはり相当な困難が伴う。これに対し、本出願人は、紙幣を収納し、かつ釣銭を払い出す機構を備えた実用化しうる紙幣処理装置を発明して別途出願している。本発明は、さらに、遊技施設の営業日の閉店後などに、紙幣処理装置内に収納されている紙幣を一斉に回収することのできる機能を備えた紙幣処理装置を提供しようとするものである。
【課題を解決するための手段】
【０００９】  本発明は、上記の如き課題を解決するためになされたもので、請求項１に記載の紙幣処理装置は、紙幣挿入口より投入される紙幣を装置本体内部に形成した紙幣収納部へと誘導する紙幣搬送手段と、前記紙幣搬送手段の搬送路に付設されたセンサによって読み取られたデータに基づいて投入紙幣の金種および真贋を判別する紙幣識別手段と、前記紙幣識別手段によって真券と判別された紙幣を前記紙幣収納部に収納するスタック機構とを備え、前記紙幣収納部は、前記紙幣搬送手段に近い側に配設された係止部材と、前記紙幣搬送手段の遠い側に紙幣の幅より幅狭の形状を有して配設され、前記係止部材とでもって紙幣の両面から紙幣を挟持するように形成した押圧部材とによって形成され、前記スタック機構は、前記係止部材を押圧する状態と、前記係止部材より離間した状態との間で前記押圧部材を往復させる機能を備えるとともに、前記押圧部材の往復途中には、前記押圧部材が通り抜けできるように形成された仕切り板が装置本体より突設され、前記押圧部材が前記係止部材より離間する移動を開始して前記仕切り板を通り抜けたところに創出される前記仕切り板と前記押圧部材との間隙が紙幣取込部とされ、前記紙幣搬送手段によって搬送されてきた紙幣は、前記紙幣取込部に取り込まれたのち、前記押圧部材が前記係止部材を押圧する側に復帰するのに伴って、前記紙幣収納部に収納されるように構成された紙幣処理装置であって、前記係止部材が存在する側から前記紙幣収納部に収納された紙幣の表面に当接するように釣銭返却ローラが配設され、釣銭の払出要求に応じて前記釣銭返却ローラが駆動することによって、前記紙幣挿入口に並設させた紙幣排出口から、釣銭とされる紙幣が排出されるように構成されていることを特徴とする。【００１０】  この紙幣処理装置は、スタック機構を紙幣搬送手段から装置内の最も遠い側に配置するようにしたものである。紙幣収納部への紙幣の収納は、多くの従来技術に採用されている紙幣の収納方向とは逆の方向、すなわち紙幣搬送手段からみて遠い側から手前側に接近するという動きの中で行われる構成となっている。それ故、従来は紙幣搬送手段の近くに確保することが難しかった空きスペースを確保することができることから、収納された紙幣を釣銭として繰り出す手段を、紙幣の取り出しに好都合となる紙幣搬送手段の側に設置することができるようになる。そして、紙幣収納部に収納された紙幣を釣銭として払い出す際には、収納時における紙幣搬送方向のさらに前方に向かう形で、紙幣挿入口と同一面に並設させた紙幣排出口から払い出すようになっている。【００１１】  請求項２に記載の紙幣処理装置は、前記紙幣搬送手段の搬送路には切替レバーが付設され、該切替レバーは、前記紙幣識別手段によって投入された紙幣が釣銭として適用することのできる金種と判別された場合には、前記紙幣収納部が許容できる最大収納枚数を満たしていない場合に限り前記紙幣収納部に前記紙幣を送り出すことができるように切り替わる一方、前記紙幣を前記紙幣収納部に収納することを必要としない場合、ならびに投入された紙幣の金種が高額紙幣と判別された場合には、該釣銭適合紙幣ならびに高額紙幣を本紙幣処理装置に接続させた紙幣搬送装置に送り出すように切り替わることを特徴とする。【００１２】  これは、切替レバーが切り替わることによって、釣銭として貯えることが必要であると認められた紙幣だけが紙幣収納部に収納され、高額紙幣、および釣銭適合紙幣であっても紙幣収納部に収納する必要のない紙幣は、本紙幣処理装置に接続させた紙幣搬送路に送り出されて、島端などに設けられている金庫に収納されるようにしたものである。【００１３】  請求項３に記載の紙幣処理装置は、前記釣銭返却ローラによって繰り出される紙幣の送出先を切り替える切替装置と、前記切替装置によって送出先の切り替えられた紙幣を、前記紙幣挿入口より挿入された紙幣の搬送路へと誘導するガイド部材とを備えていることを特徴とする。【００１４】  釣銭返却ローラによって繰り出されて紙幣排出口に向かって繰り出される紙幣は、切替装置の作動によって搬送方向が変換させられ、その先で紙幣挿入時と同じ紙幣搬送路に再度送り込まれる。そして、この紙幣は、紙幣搬送路の奥部に設けられた切替装置によっては切り替えられることなく直進して、本紙幣処理装置に接続させた紙幣搬装置に送り出され、島端などに設けた金庫に収納される。このような機能は、紙幣収納部に収納されている紙幣を一斉に回収しようとする際に有効である。【００１５】  請求項４に記載の紙幣処理装置は、貸出スイッチと精算スイッチとを備えた遊技媒体貸出機に装着され、高額紙幣が投入された場合に、前記貸出スイッチの押下に伴って遊技媒体の貸し出しと投入金額からの貸出分の減算処理が行われ、さらに前記貸出スイッチが押下されたときには遊技媒体の貸し出しと投入金額からの貸出分の減算処理が繰り返し行われるとともに、精算スイッチの押下に伴って、前記紙幣収納部に釣銭用の紙幣が貯留されていることを条件に、前記紙幣収納部より釣銭となる紙幣を返却することを特徴とする。【００１６】  これは、釣銭用の紙幣が確保された状態において高額紙幣が投入されたとしても、直ちに釣銭を返却することはせずに保留することにより、遊技客が連続してゲームを行えるようにし、遊技客が、ゲーム終了と判断して精算スイッチを押下したときに初めて釣銭用の紙幣を返却するようにしたものである。
【発明の効果】
【００１７】  本発明の紙幣処理装置は、押圧部材による押し込み作用を利用して、投入された紙幣を紙幣収納部に収納するという構成になる紙幣処理装置にあって、この種の従来の装置とは逆の方向から、すなわち紙幣搬送手段よりみて遠い側から手前側に接近させるという機構を有するスタック機構を実現させたものである。その結果、紙幣搬送手段に近い側には、別の機構を付設するだけのスペースが生まれる。そして、このスペースを紙幣返却手段の設置箇所として利用することによって、従来の装置に必要とされる紙幣収納機能を具備しながらも、釣銭機能を備えた紙幣処理装置を実用化しうるものとしている。【００１８】  この紙幣処理装置が組み込まれた遊技媒体貸出機にあっては、釣銭として収納することの必要がある紙幣は装置内の紙幣収納部に収納され、高額紙幣や釣銭として収納することが必要でない紙幣は、島端などに設けられた金庫に収納される。釣銭としての紙幣は、専用に設けた紙幣排出口から返却されるともに、切替装置が作動したときには金庫に通じる搬送路が開通されることから、遊技施設の営業日の閉店時などに、本紙幣処理装置の紙幣収納部に収納されている紙幣を一斉に回収することができるようになる。また、高額紙幣を投入したときに釣銭の払い出しを受けないでゲームの継続を希望するときには、続けて遊技媒体の借り出しを受けられるようにもなっている。
【発明を実施するための最良の形態】
【００１９】  次に、本発明の最良の実施形態について、図を参照しながら説明する。図１は、遊技機および遊技媒体貸出機の外観を表わす正面図である。図２は、本発明の紙幣処理装置が定常の静止状態にあるときの正面外観図、および内部の様子を説明するための正面図と平面図である。図３〜図７は、本発明の紙幣処理装置の作動状態について順を追って説明するための正面図と平面図である。また、図８は、従来の紙幣処理装置の一例を示すもので、図２における平面図に相当する図である。なお、これらの図において、破線とすべき線をそのまま破線で描くと分かりにくくなるところについては、実線にて描いてある。【００２０】  図１には、遊技機の一例としてのスロットマシン１０と、遊技媒体貸出機の一例としてのメダルサンド２０とが示されている。そして、このスロットマシン１０とメダルサンド２０とは、交互に横並びに設置されることによって、一つの遊技機島（図示せず）を構成する。遊技機島の内部には、その長手方向に沿って紙幣搬送装置２７が架設されるとともに、図２に示すように、紙幣搬送装置２７の本線２７ａである搬送路から枝分かれする支線２７ｂが、それぞれのメダルサンド２０の背面と接続している。また、遊技機島の一端部にあって、紙幣搬送装置２７の末端に当たるところに金庫２８が配設されている。各メダルサンド２０から排出される紙幣は、紙幣搬送装置２７の支線２７ｂから本線２７ａに合流して搬送され、金庫２８に収納される。【００２１】  メダルサンド２０の正面には、遊技客が必要とするときに押下する精算ボタン２１および貸出ボタン２２が取り付けられている。また、液晶ディスプレイなどからなる表示部２３が装着されて、各種データが表示できるようになっている。この表示部２３は、たとえば、メダルの貸出枚数や売上情報、異常表示などを適宜表示するためのデータ表示部２４と、遊技客が投入した紙幣の残額を表示するための残額表示部２５とによって構成されるもので、その値は数字によってデジタル表示される。【００２２】  メダルサンド２０の内部には本発明の紙幣処理装置３０が組み込まれ、紙幣挿入口３１ａと紙幣排出口３１ｂとが正面に臨んで並置されている。メダルサンド２０の下部には、貸出用のメダルを払い出すノズルシュート２６が取り付けられている。紙幣挿入口３１ａａに紙幣を投入して貸出ボタン２２を押下することによって払い出されるメダルは、ノズルシュート２６を通じてスロットマシン１０の下部に設けた受皿１１に受け入れられる。この払い出されたメダルをスロットマシン１０のメダル投入口１２に投入することによって、ゲームの開始が可能となる。また、紙幣排出口３１ｂは、釣銭としての紙幣を払い出すための開口である。【００２３】  ところで、以下に詳述する本発明の紙幣処理装置３０は、紙幣を立てた状態にて挿入する縦形であっても、紙幣を水平に寝かせた状態にて挿入する横形であっても適用することのできる構造となっている。しかしながら、遊技機島に装備された紙幣搬送装置２７と組み合わせたときの紙幣の搬送は、一般的に縦形となる。また、紙幣搬送装置２７は、遊技機島の上方に単独のラインとして設置する形式のものと、メダルサンド２０を通じて遊技機島の内部��設置する形式のものとがある。ここでは、メダルサンド２０に組み込まれたものを例にとり、紙幣が縦形として使用される状態の図面に基づいて説明を続ける。【００２４】  さて、図２に示す紙幣処理装置３０において、紙幣挿入口３１ａの奥の方に延伸する形で紙幣搬送手段３２が配設されている。この紙幣搬送手段３２は、駆動プーリ３３と従動プーリ３４とを備えており、２つのプーリの間には搬送ベルト３５が架け渡されている。駆動プーリ３３の回転駆動は、駆動モータＭ１によって与えられるもので、駆動モータＭ１の回転は、図示しない歯車類を介して、回転中心の方向転換を伴いながら、駆動プーリ３３の回転軸に伝えられる。【００２５】  搬送ベルト３５に対向する一側は、側壁３６で塞がれている。側壁３６には適所に開口が設けられている。この開口からは、ピンチローラ３７の外周部の一部が、搬送ベルト３５と当接するようにして突設されていて、搬送ベルト３５との間で紙幣搬送路を形成している。紙幣挿入口３１ａより挿入された紙幣は、搬送ベルト３５とピンチローラ３７とによって挟持されながら、奥の方へと搬送されることとなる。なお、搬送ベルト３５およびピンチローラ３７は、紙幣の幅の両側部に相当する箇所、すなわち縦形にあっては上下の２ヶ所に設けられている。【００２６】  このような紙幣搬送路には、紙幣を識別するための検出手段が数箇所に配設される。まず、Ｓ１は赤外線反射センサを示し、紙幣挿入口３１ａの近傍に配置されて紙幣が投入されたことを検知する。赤外線反射センサＳ１は、紙幣の幅方向の２ヶ所に並置される。また、Ｓ２は赤外線透過センサを示す。このセンサＳ２は、搬送路を挟んで発光部と受光部とが向き合って配置されたもので、その間を通過する紙幣の透過光の強弱のパターンを検出して記憶データと照合することにより、紙幣の金種および真贋を判別する。この赤外線透過センサＳ２は、挿入される紙幣の幅方向に３セットが並置される。【００２７】  Ｓ３は磁気センサを示し、そのヘッドと紙幣とが確実に接触するようにするために、ヘッドと対向する位置にピンチローラ３８が配設されている。この磁気センサＳ３は、紙幣のインクに含ませた磁気を感知してその金種および真贋を判別するもので、紙幣の幅方向について２ヶ所に配置される。また、２つの磁気センサＳ３に挟まれて、可視光センサＳ４が配置されている。可視光センサＳ４は、前記の赤外線透過センサＳ２と波長の異なる光によって紙幣の分析を行うもので、赤外線透過センサＳ２を補完するダブルチェックの機能を有している。【００２８】  また、紙幣搬送路には、シャッター装置４０が付設されている。シャター装置４０は、投入した紙幣の通過を許可し、逆送を禁止する機能を有するものである。基本的に、搬送路を塞ぐ突出物が、紙幣の通貨の際には押し退けられ、紙幣が通過したのちに元の位置に復帰して搬送路を塞ぐという構造のものである。この突出物は、紙幣の逆送には動じないように形成されているので、一旦挿入した紙幣が引き戻されるという不正が防止できる。【００２９】  このシャッター装置４０を紙幣挿入口３１ａの口許近くに形成すれば、その奥に設置されたセンサ類に加えようとする不正工作を防止することができる。また��センサ類によって投入された紙幣の金種や真贋が判別される時点では、紙幣は完全に装置内に取り込まれた状態となるので、この点でも不正が防止される。さらに、この紙幣処理装置３０の奥行き寸法を短かくすることができ、奥行きに余裕のない設置箇所に好適する装置として提供することができるようになる。【００３０】  本実施例は、奥行きに余裕があって、シャッター装置４０を搬送路の比較的奥の方に配置した例を示したものである。このような構成のものは、シャッター装置４０そのものに対する外部からの不正な操作が加えにくいという特長を有している。このシャッター装置４０は、軸回りに回動する係止駒４１と、係止駒４１の先端４２を紙幣挿入口３１ａの方向に付勢する図示しないスプリングと、紙幣の通過を確認する図示しない検知センサとによって構成されている。【００３１】  シャッター装置４０は、通常の静止状態においては、係止駒４１の先端４２が、紙幣の搬送方向とは逆の方向にスプリングによって付勢されて、紙幣搬送路の中に臨んだままの状態で静止するように形成されている。スプリングには付勢力の非常に弱いものが使用されているので、投入された紙幣は、スプリングの付勢力に抗して係止駒４１の先端４２を押し退けながら通過することができる。一方、係止駒４１は、スプリングによって付勢されたうえ静止した位置よりさらに逆方向には回動しないように規制されているので、シャッター装置４０を通過した紙幣についてはその逆送が制止される。メダルの貸し出しは、搬送中の紙幣がシャッター装置４０の通過の終了を検知センサが検知しないかぎり行われないように制御されているので、メダルの貸し出しを受けながら挿入した紙幣を途中から引き戻すという不正が防止できるようになる。【００３２】  紙幣搬送路の最奥部には、切替装置５０が付設されている。たとえば、この切替装置５０は、軸回りに回動する切替レバー５１と、切替レバー５１の先端５２を搬送ベルト３５に当接させる方向に付勢する図示しないスプリングと、ソレノイド５３と、切替レバー５１の回転軸を挟む後端とソレノイド５３とを連結する連結棒５４とによって構成されるものである。【００３３】  前記センサ類によって挿入された紙幣の金種および真贋が判別され、それが真券であって高額紙幣であった場合、および釣銭として適合する金種の紙幣であっても後述する紙幣処理装置３０に形成された紙幣収納部が許容できる最大収納枚数で満たされている場合、ならびに紙幣収納部に収納されている紙幣を回収しようとする場合には、その紙幣は、切替レバー５１による方向変換を受けることなく直進して、メダルサンド２０の背面側に接続させた紙幣搬送装置２７へと搬送されていく。【００３４】  一方、紙幣Ｂが釣銭として適合する紙幣であって、しかも釣銭として紙幣収納部に収納することが必要であるときは、ソレノイド５３を作動させて切替レバー５１の先端５２を回動させる。紙幣搬送装置２７へと直進する搬送路が閉鎖されるともに、駆動プーリ３３周りに回り込む搬送路が新たに出現するようになる。紙幣Ｂは、湾曲して形成されたガイドプレート５５の曲面に沿って誘導される。ガイドプレート５５の下端部には検知センサＳ５が装着されており、搬送された���幣Ｂが完全に収納されたか否かがチェックされる。【００３５】  以上のように、釣銭として収納される紙幣Ｂは、紙幣搬送手段３２の裏側（図２（ｃ）の左側）に回り込んで収納されることとなる。そして、この収納部分には、スタック機構６０が形成されている。スタック機構６０の構造としては、まず、収納される紙幣Ｂをその幅方向の両側部にて支持するための一対の仕切り板６１が、図２（ｂ）における上下に設けられる。仕切り板６１は、この装置の筐体６２より突出する棚板状のもので、紙幣Ｂの長手方向に沿った形で延設されたものである。仕切り板６１より紙幣搬送手段３２に近い側（図２（ｃ）の右側）には、壁面状をなす係止部材６３が仕切り板６１と平行に形成されている。なお、この係止部材６３は、本実施例のような壁面状のもののほか、丸棒や回転ローラなどを並置して形成したものであってもよい。【００３６】  仕切り板６１より紙幣搬送手段３２から遠い側（図２（ｃ）の左側）には、パンタグラフ構造の押圧部材変位機構６４が形成されている。押圧部材変位機構６４は、伸長と縮小とを繰り返す往復運動の機能を有するもので、たとえば、付勢手段としてスプリング６５が組み込まれ、押圧部材変位機構６４を伸張させる方向に作用している。一方、押圧部材変位機構６４の一足部は、連結棒６７を仲介としてソレノイド６６と連結されており、ソレノイド６６の作動にともなって、この一足部が図２（ｃ）の上下に摺動するように形成されている。この一足部を引張り方向に摺動させると、押圧部材変位機構６４は、スプリング６５の付勢力に抗してパンタグラフ構造の高さを縮小させる。【００３７】  押圧部材変位機構６４の可動端には、押圧部材６８が装着されている。この押圧部材６８は、紙幣Ｂの幅より狭く、かつ筐体６２内に対向して突設された仕切り板６１の内端同士の間隔よりも幅狭に形成される板状体である。そして、押圧部材変位機構６４の伸縮に伴い、仕切り板６１の間を通り抜けて、仕切り板６１の両側を往来することができるように形成されている。なお、押圧部材６８は、押圧部材変位機構６４がもつパンタグラフ構造によって、伸縮によっても常に当初の状態から平行が維持されるようになっている。【００３８】  以上のように構成されたスタック機構６０において、係止部材６３と押圧部材６８とによって挟まれる間隙が、紙幣Ｂの紙幣収納部６９となる。そして、紙幣収納部６９に収納された紙幣Ｂの表面に対して、係止部材６３が存在する側から当接するように、釣銭返却ローラ７０が付設されている。紙幣返却ローラ７０は、その外表面がゴム類によって形成されており、ローラ回転時に摩擦力でもって紙幣Ｂを紙幣排出口３１ｂの方向に繰り出すようになっている。紙幣返却ローラ７０の回転駆動は、駆動モータＭ２によって与えられる。駆動モータＭ２の回転は、図示しない歯車類を介して、回転中心の方向転換を伴いながら、紙幣返却ローラ７０の回転軸に伝達されている。【００３９】  紙幣返却ローラ７０による紙幣Ｂの送出先には、その送出先を切り替えることのできる切替装置８０が配設されている。切替装置８０は、たとえば本実施例に示すように、丸棒状の切替軸８１、切替軸８１を回動させる駆動源となるソレノイド８２、駆動力を伝達するための連結棒８３、および図示しないスプリングなどによって構成される。このほかにも、ラックとピニオンの組み合わせなどによっても構成することができる。【００４０】  切替軸８１には、その軸線に沿ってスリット８４が開設されている。スリット８４の長さは、紙幣Ｂの幅が通り抜けることができるだけの長さを有している。また、紙幣Ｂが通過するスリット８４の入口近傍には検知センサＳ６が備えられ、紙幣Ｂを検知して計数できるようになっている。スリット８４の出口近傍にはガイド部材８５の一端が配設されている。ガイド部材８５は湾曲面を有し、その他端は、紙幣搬送手段３２の紙幣搬送路に合流するように形成されている。【００４１】  次に、紙幣の収納および返却の詳細な仕組みについて、図３〜図７を参照しながら説明する。まず、図２に示したような定常の静止状態にある紙幣処理装置３０に対し、図３に示す矢印Ｆのように、紙幣挿入口３１ａより紙幣Ｂを挿入すると、赤外線反射センサＳ１が紙幣Ｂの挿入を検知して、紙幣処理装置３０が作動を開始する。紙幣Ｂは、紙幣搬送手段３２によって搬送される途中の初期の段階で、センサ類Ｓ２，Ｓ３，Ｓ４によってデータが読み取られ、読み取られたデータに基づいてその真贋と金種とが判別される。【００４２】  判別の結果、真券でないものと判別された紙幣Ｂは、紙幣挿入口３１ａに戻される。その際、スタック機構６０が定常の静止状態にあるか否かが判断され、定常の位置にあるようであれば、直ちに紙幣搬送手段３２を逆転させて紙幣Ｂを返却する。もし、スタック機構６０が作動中であって定常の位置に戻っていないようであれば、紙幣詰まりなどのトラブルを防止するため、スタック機構６０が定常の位置に戻るまで待機してから紙幣搬送手段３２が逆転を開始するように、図示しない制御部によって制御されている。【００４３】  投入された紙幣Ｂが真券であると判別されれば、その金額が表示部２３の残額表示部２５に表示される。また、紙幣Ｂの金種が高額紙幣であるか否かの判別結果に基づいて、高額紙幣であった場合には、切替レバー５１が作動することはなく、紙幣Ｂは、遊技機島に設置された紙幣搬送装置２７によって搬送され、最終的に金庫２８に収納される。また、釣銭に適した紙幣Ｂ（通常は千円札）と判別されたとしても、紙幣収納部６９が許容できる枚数ですでに満たされている場合には紙幣搬送装置２７へと送り出され、金庫２８に収納される。【００４４】  紙幣収納部６９に紙幣を収納することが必要である場合には、切替装置５０の切替レバー５１が作動して、釣銭に適した紙幣Ｂを紙幣収納部６９へと導く搬送路を出現させる。これとほぼ同時に、図３に示す矢印ＦＦのように、スタック機構６０の押圧部材変位機構６４がソレノイド６６の作動によって変位を開始し、押圧部材６８が仕切り板６１の間を通り過ぎるところまで縮小してから停止する。このとき、紙幣収納部６９にすでに収納された紙幣Ｂが存在していたとしても、係止部材６３に阻まれて押圧部材６８の側に進入してくることはない。このようにして生じた仕切り板６１と押圧部材６８との間の間隙が、投入された紙幣Ｂを取り込むための紙幣取込部７２となる。【００４５】  紙幣Ｂは、図４に示す矢印Ｆのように、ガイドプレート５５によって誘導されながら搬送され、紙幣取込部７２に取り込まれる。紙幣Ｂの取り込みの終了が検知センサＳ５によって確認されたのちソレノイド６６が解放される。押圧部材変位機構６４は、図５に示す矢印ＦＲのように、スタック機構６０に組み込まれたスプリング６５の付勢力でもって、元の位置に戻るべく伸張する。押圧部材変位機構６４の復帰にともなって、紙幣取込部７２に取り込まれた紙幣Ｂは押圧部材６８に押圧され、その幅方向の両側部を折曲させながら係止部材６３を乗り越えて、紙幣収納部６９に収納されることとなる。【００４６】  遊技客がゲームを開始するためには、貸出ボタン２２を押下して、メダルの払い出しを受けなければならない。すると、貸出相当分の金額が減算処理され、その残額は残額表示部２５に表示される。メダルの貸し出しを継続することのできる金額が残っていない場合には、ゲームは終了する。金額が残っている場合には、遊技客がゲームを継続する意向があるかを選択する。ゲームを繰り返す場合には、貸出ボタン２２を押下する。精算ボタン２１を押下すれば、ゲームは終了する。【００４７】  精算ボタン２１が押下されると、図６の矢印Ｃに示すように、紙幣Ｂに当接させた釣銭返却ローラ７０が回転して紙幣Ｂを１枚づつ順に繰り出す。切替装置８０の切替軸８１に開設されているスリット８４は、紙幣排出口３１ｂに向いたままでいる。釣銭としての紙幣Ｂは、スリット８４を通り抜けて紙幣排出口３１ｂより排出される。釣銭として支払われる紙幣Ｂの枚数は、検知センサＳ６によって計数される。【００４８】  一方、紙幣収納部６９に収納されている紙幣Ｂを回収するときは、図７に示すように、切替装置８０の切替軸８１に開設されているスリット８４が回動して、スリット８４の出口側がガイド部材８５に向けられる。紙幣Ｂは、送出先が切り替えられて、矢印Ｗに示すようにガイド部材８５の湾曲面に倣って送り出され、その先端で紙幣搬送手段３２の紙幣搬送路に合流する。そして、作動中の紙幣搬送手段３２によって紙幣搬送装置２７へと搬送される。このようにして、最終的に総ての紙幣Ｂが、金庫２８に収集される。
【図面の簡単な説明】
【００４９】
【図１】  遊技機および遊技媒体貸出機の外観を表わす正面図である。
【図２】  本発明の紙幣処理装置が定常状態にあるときの（ａ）は正面外観図、（ｂ）は、内部構造を説明するための正面図、（ｃ）はその平面図である。
【図３】  紙幣処理装置の内部の作動状態を説明するための（ａ）は正面図、（ｂ）は平面図である。
【図４】  紙幣処理装置の内部の作動状態を説明するための（ａ）は正面図、（ｂ）は平面図である。
【図５】  紙幣処理装置の内部の作動状態を説明するための（ａ）は正面図、（ｂ）は平面図である。
【図６】  紙幣処理装置の内部の作動状態を説明するための（ａ）は正面図、（ｂ）は平面図である。
【図７】  紙幣処理装置の内部の作動状態を説明するための（ａ）は正面図、（ｂ）は平面図である。
【図８】  従来の紙幣処理装置の一例を示す平面図相当図である。
【符号の説明】
【００５０】１０  スロットマシン
２０  メダルサンド
２１  精算ボタン
２２  貸出ボタン
３０  紙幣処理装置
３１ａ  紙幣挿入口
３１ｂ  紙幣排出口
３２  紙幣搬送手段
３５  搬送ベルト
４０  シャッター装置
５０  切替装置
６０  スタック機構
６１  仕切り板
６３  係止部材
６４  押圧部材変位機構
６８  押圧部材
６９  紙幣収納部
７０  紙幣返却ローラ
７２  紙幣取込部
８０  切替手段
８５  ガイド部材
Ｂ  紙幣
【図１】
2006338651.tif 000003
【図２】
2006338651.tif 000004
【図３】
2006338651.tif 000005
【図４】
2006338651.tif 000006
【図５】
2006338651.tif 000007
【図６】
2006338651.tif 000008
【図７】
2006338651.tif 000009
【図８】
2006338651.tif 000010